(57)【要約】【課題】安価な構成で、吸入グリル固定用のスライドレバーを吸入グリルに装着することができる空気調和機を提供する。【解決手段】室内ユニット本体（図示せず）に取付けられる化粧パネル（図示せず）と、化粧パネルに取り付けられる吸入グリル１０と、吸入グリル１０の片側に設けられ化粧パネルに係止するためのヒンジ（図示せず）と、吸入グリル１０のヒンジと反対側に設けられ吸入グリル１０の開閉用のスライドレバー１４を固定するためのスライドレバー保持部２１を備え、スライドレバー１４の側面に位置決め用の係止爪２２を備え、係止爪２２の近傍にスライドレバー１４の側面をたわませるための角穴２３を備え、スライドレバー保持部２１の側面に係止爪２２がはまり込む係止穴２４ａ、２４ｂを備えたもので、スライドレバー１４を固定するための余分な部品が不要となり、安価に構成できる。【選択図】図１
2010261608.tif 000002
【特許請求の範囲】
【請求項１】
室内ユニット本体と、前記室内ユニット本体に取付けられる化粧パネルと、前記化粧パネルの吸込み側に取り付けられる吸入グリルと、前記吸入グリルの片側に設けられ前記化粧パネルに係止するためのヒンジと、前記吸入グリルの前記ヒンジと反対側に設けられ前記吸入グリルの開閉用のスライドレバーを固定するためのスライドレバー保持部を備えた空気調和機において、前記スライドレバーの側面に前記スライドレバーの位置決め用の係止爪を備え、前記係止爪の近傍に前記スライドレバーの側面をたわませるための角穴を備え、前記スライドレバー保持部の側面に前記係止爪がはまり込む係止穴を備えたことを特徴とした空気調和機。
【請求項２】
スライドレバーに、角穴に代え、切り欠きを設けたことを特徴とした請求項１に記載の空気調和機。
【請求項３】
スライドレバーの吸入グリルとの係合部に、前記スライドレバーの脱落を防止する脱落防止爪を設けたことを特徴とする請求項１又は２に記載の空気調和機。
【発明の詳細な説明】
【技術分野】
【０００１】
本発明は、空気調和機に関するもので、特に、空気調和機の化粧パネルの吸入グリルの固定方法に関するものである。
【背景技術】
【０００２】
従来、この種の空気調和機は、通常、ちりやほこりが吸着したエアフィルターを容易に清掃できるように、工具等を用いずに吸入グリルを化粧パネル本体から取り外すことができるような構造となっている（例えば、特許文献１参照）。
【０００３】
図１０は、上記特許文献１に記載された従来の空気調和機の断面図、図１１は、同空気調和機の化粧パネルの平面図、図１２は、同化粧パネルへの吸入グリル取り付け断面図、図１３は、同空気調和機のスライドレバー取り付け斜視図、図１４は、同スライドレバー取り付け平面図、図１５は、同スライドレバー取り付け部断面図を示すものである。
【０００４】
図１０〜図１５において、本実施の形態における空気調和機の天井１内に埋設された室内ユニット本体２の内部に、熱交換器３と、ドレンパン４と、送風機５と、ファンモーター６等が配置され、この室内ユニット本体２には、その下部開口２ａを覆う化粧パネル７が着脱自在に装着されている。化粧パネル７の中央部には、吸込口８が形成され、この吸込口８の両側には、吹出口９が形成されている。
【０００５】
吸込口８の内部に、吸入グリル１０が取り付けられ、吸入グリル１０にちりやほこりを吸着させるフィルター１１が装着されるようになっている。吸入グリル１０の化粧パネル７への取り付けは、吸入グリル１０の片側にヒンジ１２が数箇所設けられており、このヒンジ１２を化粧パネル７のヒンジ取り付け部１３に引っ掛ける。このようにして吸入グリル１０の片側が、化粧パネル７に保持される。
【０００６】
吸入グリル１０のヒンジ１２の反対側に、吸入グリル１０を化粧パネル７に水平に装着するために、吸入グリル１０内にスライドレバー１４が係合される。スライドレバー１４は、スライドレバー固定板１５を介して、スライドレバー固定ネジ１６にて吸入グリル１０に設けられたスライドレバー先端係止部１７に固定される。このスライドレバー１４を吸入グリル１０の外側にスライドさせることにより、スライドレバー１４の先端が吸入グリル１０の側面から突出される。
【０００７】
これにより、スライドレバー１４の先端が、化粧パネル７内に形成されたスライドレバー先端係止穴１８に挿入され、吸入グリル１０が保持される。スライドレバー１４を吸入グリル１０の左右２箇所に設けることにより、吸入グリル１０が化粧パネル７に対して水平に保持される。
【０００８】
逆にフィルター１１を清掃するために、吸入グリル１０を開けるためには、吸入グリル１０に設けられたスライドレバー１４を吸入グリル１０の内側にスライドさせ、スライドレバー１４の先端を化粧パネル７に設けられたスライドレバー先端係止穴１８から外して吸入グリル１０の保持を解除するようにする。
【先行技術文献】
【特許文献】
【０００９】
【特許文献１】特開２００８−６４３４２号公報
【発明の概要】
【発明が解決しようとする課題】
【００１０】
しかしながら、前記従来の空気調和機の構成では、吸入グリル１０に、スライドレバー
１４を固定するためにスライドレバー固定板１５やスライドレバー固定板１５を取り付けるためのスライドレバー固定ネジ１６が必要なため、部品点数が多くなり、高価で組立工数も多くなってしまうという課題を有していた。
【００１１】
本発明は、前記従来の課題を解決するもので、吸入グリル固定用のスライドレバーを固定板や取り付けネジを用いることなく吸入グリルに装着することができる空気調和機を提供することを目的とする。
【課題を解決するための手段】
【００１２】
前記従来の課題を解決するために、本発明の空気調和機は、室内ユニット本体と、前記室内ユニット本体に取付けられる化粧パネルと、前記化粧パネルの吸込み側に取り付けられる吸入グリルと、前記吸入グリルの片側に設けられ前記化粧パネルに係止するためのヒンジと、前記吸入グリルの前記ヒンジと反対側に設けられ前記吸入グリルの開閉用のスライドレバーを固定するためのスライドレバー保持部を備えた空気調和機において、前記スライドレバーの側面に前記スライドレバーの位置決め用の係止爪を備え、前記係止爪の近傍に前記スライドレバーの側面をたわませるための角穴を備え、前記スライドレバー保持部の側面に前記係止爪がはまり込む係止穴を備えたもので、吸入グリルにスライドレバーを固定するためのスライドレバー固定板やスライドレバー固定ネジが不要となるので安価で組立工数の少ない空気調和機を提供することができる。
【発明の効果】
【００１３】
本発明の空気調和機は、スライドレバーの吸入グリルへの固定をスライドレバー固定板やスライドレバー取り付けネジを介さずに行うことができる。
【図面の簡単な説明】
【００１４】
【図１】本発明の第１の実施の形態における空気調和機のスライドレバー取り付け斜視図
【図２】同空気調和機の吸入グリルの部分平面図
【図３】同スライドレバー取り付け部断面図
【図４】同スライドレバーの平面図
【図５】同スライドレバーの変形図
【図６】本発明の第２の実施の形態における空気調和機のスライドレバー取り付け斜視図
【図７】同スライドレバーの平面図
【図８】本発明の第３の実施の形態における空気調和機のスライドレバー取り付け斜視図
【図９】同スライドレバー取り付け部の平面図
【図１０】従来の空気調和機の断面図
【図１１】同空気調和機の化粧パネルの平面図
【図１２】同化粧パネルへの吸入グリル取り付け断面図
【図１３】同空気調和機のスライドレバー取り付け斜視図
【図１４】同スライドレバー取り付け平面図
【図１５】同スライドレバー取り付け部断面図
【発明を実施するための形態】
【００１５】
第１の発明は、室内ユニット本体と、前記室内ユニット本体に取付けられる化粧パネル
と、前記化粧パネルの吸込み側に取り付けられる吸入グリルと、前記吸入グリルの片側に設けられ前記化粧パネルに係止するためのヒンジと、前記吸入グリルの前記ヒンジと反対側に設けられ前記吸入グリルの開閉用のスライドレバーを固定するためのスライドレバー保持部を備えた空気調和機において、前記スライドレバーの側面に前記スライドレバーの位置決め用の係止爪を備え、前記係止爪の近傍に前記スライドレバーの側面をたわませるための角穴を備え、前記スライドレバー保持部の側面に前記係止爪がはまり込む係止穴を備えたもので、吸入グリルにスライドレバーを固定するためのスライドレバー固定板やスライドレバー固定ネジが不要となるので安価で組立工数の少ない空気調和機を提供することができる。
【００１６】
第２の発明は、特に、第１の発明のスライドレバーに、角穴に代え、切り欠きを設けたもので、スライドレバーの動作がよりスムーズになり、スライドレバーが所定位置に到達したときのクリック感がよりよく感じることができる。
【００１７】
第３の発明は、特に、第１または第２の発明のスライドレバーの吸入グリルとの係合部に、前記スライドレバーの脱落を防止する脱落防止爪を設けたもので、スライドレバーを吸入グリルに装着させた時に脱落防止用の爪が吸入グリルにはまり込むことにより、吸入グリルからスライドレバーが外れることがなく、また、スライドレバーの装着位置ずれが少なくなり、確実な吸入グリルの化粧パネルへの取り外しができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における空気調和機のスライドレバー取り付け斜視図、図２は、同空気調和機の吸入グリルの部分平面図、図３は、同スライドレバー取り付け部断面図、図４は、同スライドレバーの平面図、図５は、同スライドレバーの変形図である。尚、上記従来の空気調和機と同一部分には同一符号を付与して、その説明を省略する。
【００２０】
図１乃至図４において、本実施の形態における空気調和機の吸入グリル１０には、スライドレバー１４を装着するためのスライドレバー挿入穴１９が設けられている。スライドレバー挿入穴１９に、スライドレバー１４内に形成された吸入グリル固定部２０を挿入し、吸入グリル１０の壁面に沿って形成されているスライドレバー保持部２１に、吸入グリル固定部２０を挿入する。
【００２１】
吸入グリル固定部２０の側面には、位置決め用の係止爪２２が左右２箇所に設けられており、左右の係止爪２２の間に角穴２３が設けられている。
【００２２】
また、吸入グリル１０内に設けられたスライドレバー保持部２１の側面には、係止爪２２がはまり込む係止穴２４ａおよび２４ｂが、左右にそれぞれに設けられている。スライドレバー１４内に形成された吸入グリル固定部２０を、吸入グリル１０内に形成されたスライドレバー保持部２１に挿入後、図３に示すように、矢印の方向にスライドレバー１４を動かすと、係止爪２２が係止穴２４ａにはまり込む。
【００２３】
この位置がスライドレバー１４の開位置となる。この時、吸入グリル固定部２０の先端は、吸入グリル１０の壁面と略同一位置となる。その後更に矢印の方向にスライドレバー１４を動かすと、係止爪２２が係止穴２４ｂにはまり込む。
【００２４】
この位置がスライドレバー１４の閉位置となる。この時、吸入グリル固定部２０の先端は化粧パネル７内に形成されたスライドレバー先端係止穴１８に挿入され、吸入グリル１０が保持される。このようにして、吸入グリル１０にスライドレバー１４が装着されることにより、化粧パネル７と有機的に関連して吸入グリル１０の取り付けが行われる。
【００２５】
又、本実施の形態では、スライドレバー１４を動かす際、２つの係止爪２２の間に角穴２３が設けられているので、図５に示すように、係止爪２２が押された時に矢印の方向に吸入グリル固定部２０がたわむため、スライドレバー１４の移動がスムーズになる。
【００２６】
以上のように、本実施の形態によれば、スライドレバー１４の側面にスライドレバー１４の位置決め用の係止爪２２を備え、係止爪２２の近傍に、スライドレバー１４の側面をたわませるための角穴２３を備え、吸入グリル１０に備えられたスライドレバー保持部２１の側面に係止爪２２がはまり込む係止穴２４ａ、２４ｂを備えることにより、吸入グリル１０にスライドレバー１４を固定するための従来のスライドレバー固定板１５やスライドレバー固定ネジ１６が不要となるので安価で組立工数の少ない空気調和機を提供することが可能となる。
【００２７】
（実施の形態２）
図６は、本発明の第２の実施の形態における空気調和機のスライドレバー取り付け斜視図、図７は、同スライドレバーの平面図を示すものである。尚、上記第１の実施の形態における空気調和機と同一部分には同一符号を付与して、その説明を省略する。
【００２８】
図６および図７において、本実施の形態における空気調和機の吸入グリル１０内にスライドレバー１４を装着するためのスライドレバー挿入穴１９が設けられている。スライドレバー挿入穴１９にスライドレバー１４内に形成された吸入グリル固定部２０を挿入し、
吸入グリル１０の壁面に沿って形成されているスライドレバー保持部２１に吸入グリル固定部２０を挿入する。
【００２９】
吸入グリル固定部２０の側面に位置決め用の係止爪２２が左右２箇所に設けられており、左右の係止爪２２の間には、縦長の切り欠き２６が設けられている。係止爪２２が押された時は、図７に示すように、矢印の方向に吸入グリル固定部２０がたわむ。特に、本実施の形態では、左右の係止爪２２間に切り欠き２６が設けられているので、吸入グリル固定部２０のたわみが容易になり、スライドレバー１４の移動がスムーズになる。
【００３０】
以上のように、本実施の形態においては、スライドレバー１４に切り欠き２６を設けたので、スライドレバー１４の動作がスムーズになり、スライドレバー１４が所定位置に到達したときのクリック感がよりよく感じることが可能となる。
【００３１】
（実施の形態３）
図８は、本発明の第３の実施の形態における空気調和機のスライドレバー取り付け斜視図、図９は、同スライドレバー取り付け部の平面図である。尚、上記第２の実施の形態における空気調和機と同一部分には同一符号を付与して、その説明を省略する。
【００３２】
本実施の形態における空気調和機は、図８、９に示すように、スライドレバー１４の上面に、スライドレバー挿入穴１９の端部に引っ掛けられ、スライドレバー１４が脱落するのを防止するための脱落防止爪２５を設け、さらに、脱落防止爪２５の先端に傾斜２５ａを設けたもので、他の構成は、上記第２の実施の形態における空気調和機と同一である。
【００３３】
本実施の形態における空気調和機のスライドレバー１４は、以上のように構成されているので、吸入グリル固定部２０をスライドレバー挿入穴１９に挿入する際、スライドレバ
ー１４の上面に形成された脱落防止爪２５の先端が、スライドレバー挿入穴１９の端部に引っ掛かる。脱落防止爪２５の先端には傾斜２５ａがついているので、吸入グリル固定部２０をさらに押し込むと、脱落防止爪２５が内方に撓み、スライドレバー挿入穴１９から脱落防止爪２５の先端が飛び出して係止される。
【００３４】
以上のように、本実施の形態は、スライドレバー１４の吸入グリル１０との係合部にスライドレバー１４の脱落を防止する脱落防止爪２５を設けたものである。
【００３５】
これによって、スライドレバー１４を吸入グリル１０に装着した時に、脱落防止爪２５が吸入グリル１０にはまり込み、吸入グリル１０からスライドレバー１４が外れることがなく、また、スライドレバー１４の装着位置ずれが少なくなり、確実な吸入グリル１０の化粧パネル７への取り外しが可能となる。
【産業上の利用可能性】
【００３６】
以上のように、本発明にかかる空気調和機は、スライド機構とはめ込み機構を用いてスライドレバーの取り付けを行うことが可能となるので、化粧パネル以外の部品の取り付け等の用途にも適用できる。
【符号の説明】
【００３７】
１  天井
２  室内ユニット本体
３  熱交換器
４  ドレンパン
５  送風機
６  ファンモーター
７  化粧パネル
８  吸込口
９  吹出口
１０  吸入グリル
１１  フィルター
１２  ヒンジ
１３  取り付け部
１４  スライドレバー
１５  スライドレバー固定板
１６  スライドレバー固定ネジ
１７  スライドレバー先端係止部
１８  スライドレバー先端係止穴
１９  スライドレバー挿入穴
２０  吸入グリル固定部
２１  スライドレバー保持部
２２  係止爪
２３  角穴
２４ａ、２４ｂ  係止穴
２５  脱落防止爪
２６  切り欠き
【図１】
2010261608.tif 000003
【図２】
2010261608.tif 000004
【図３】
2010261608.tif 000005
【図４】
2010261608.tif 000006
【図５】
2010261608.tif 000007
【図６】
2010261608.tif 000008
【図７】
2010261608.tif 000009
【図８】
2010261608.tif 000010
【図９】
2010261608.tif 000011
【図１０】
2010261608.tif 000012
【図１１】
2010261608.tif 000013
【図１２】
2010261608.tif 000014
【図１３】
2010261608.tif 000015
【図１４】
2010261608.tif 000016
【図１５】
2010261608.tif 000017